(57)【要約】  少なくとも１つの通信セルを有する無線通信システムでブロードキャストサービスに関係する１つ以上の無線加入者通信ユニットからフィードバックを取得する方法である。この方法は、ネットワークコントローラにより、要求メッセージを１つ以上の無線加入者通信ユニットに送信し、無線加入者通信ユニットにより、要求メッセージを受信して処理し、少なくとも１つの無線加入者通信ユニットにより、要求メッセージに応じてレイヤ１の応答信号を送信し、ネットワークコントローラにより、特定の通信セルでレイヤ１の応答信号を検出し、これに応じて、(i)ポイント・ツー・マルチポイントのブロードキャスト動作モードに入ること及び(ii)その通信セルでブロードキャストサービスの配信を変更することのうち１つを実行する。
2010502065.tif 000002
【特許請求の範囲】
【請求項１】
少なくとも１つの通信セルを有する無線通信システムでブロードキャストサービスに関係する１つ以上の無線加入者通信ユニットからフィードバックを取得する方法であって、
ネットワークコントローラにより、要求メッセージを１つ以上の無線加入者通信ユニットに送信し、
無線加入者通信ユニットにより、前記要求メッセージを受信して処理し、
前記無線加入者通信ユニットにより、前記要求メッセージに応じてレイヤ１の応答信号を送信し、
前記ネットワークコントローラにより、特定の通信セルで前記レイヤ１の応答信号を検出し、これに応じて、
(i)ポイント・ツー・マルチポイントのブロードキャスト動作モードに入ること、及び
(ii)前記通信セルで前記ブロードキャストサービスの配信を変更することのうち１つを実行する方法。
【請求項２】
レイヤ１の応答信号を送信することは、レイヤ１の応答シグニチャ系列を送信することを有する、請求項１に記載の方法。
【請求項３】
前記要求メッセージは、１つ以上の無線加入者通信ユニットがブロードキャストサービスを受信しているか否かを特定するために、前記ネットワークコントローラにより送信される、請求項１又は２に記載の方法。
【請求項４】
前記ブロードキャストサービスを受信している場合に、レイヤ１の応答信号は、前記要求メッセージに応じて前記無線加入者通信ユニットにより送信される、請求項３に記載の方法。
【請求項５】
前記要求メッセージは、１つ以上の無線加入者通信ユニットがブロードキャストサービスを受信することに関心があるか否かを特定するために、前記ネットワークコントローラにより送信される、請求項１ないし４のうちいずれか１項に記載の方法。
【請求項６】
前記ブロードキャストサービスを受信することに関心がある場合に、レイヤ１の応答信号は、前記要求メッセージに応じて前記無線加入者通信ユニットにより送信される、請求項５に記載の方法。
【請求項７】
要求メッセージを送信することは、無線加入者通信ユニットがMBMS（Multimedia  Multicast/Broadcast  Service）を受信することに関心があることを示す要求を送信することを有する、請求項６に記載の方法。
【請求項８】
レイヤ１の応答信号を送信することは、前記要求メッセージで示された個別アクセスリソースでレイヤ１の応答信号を送信することを有する、請求項１ないし７のうちいずれか１項に記載の方法。
【請求項９】
前記個別アクセスリソースは、特定のマルチメディアブロードキャスト及びマルチキャストサービスに関係する前記応答メッセージに使用される非同期ランダムアクセスチャネル（RACH）の指示及びシグニチャ系列を有する、請求項８に記載の方法。
【請求項１０】
前記個別アクセス情報は、カウンティング手順に使用される個別シグニチャ系列を有する、請求項８に記載の方法。
【請求項１１】
レイヤ１の応答信号を送信することは、前記非同期RACHのプリアンブル部分でレイヤ１の応答信号を送信することを有する、請求項９又は１０に記載の方法。
【請求項１２】
レイヤ１の応答信号を送信することは、一式の指定のRACHリソースからランダムに選択された非同期RACHでレイヤ１の応答信号を送信することを有する、請求項９ないし１１のうちいずれか１項に記載の方法。
【請求項１３】
個別アクセス情報は、確率係数を有し、
前記方法は、前記要求メッセージで前記ネットワークコントローラから前記複数の無線加入者通信ユニットに前記確率係数を送信し、これに応じて前記非同期RACHを選択することを更に有する、請求項９ないし１２のうちいずれか１項に記載の方法。
【請求項１４】
前記個別アクセス情報は、前記ブロードキャストサービスに関心のある無線加入者通信ユニットのみが個別アクセス情報を受信することができるように、暗号化又は保護される、請求項８ないし１３のうちいずれか１項に記載の方法。
【請求項１５】
前記ネットワークコントローラにより、前記レイヤ１の応答信号を受信したことに応じて、肯定応答を送信することを更に有する、請求項１ないし１４のうちいずれか１項に記載の方法。
【請求項１６】
複数のブロードキャストサービスの間で複数のレイヤ１の複数の応答信号を時間多重することを更に有する、請求項１ないし１５のうちいずれか１項に記載の方法。
【請求項１７】
前記無線加入者通信ユニットが前記ブロードキャストサービスを復号するのに弱すぎる信号を受信している場合、レイヤ１の応答信号は、前記無線加入者通信ユニットにより前記要求メッセージに応じて送信される、請求項１ないし１６のうちいずれか１項に記載の方法。
【請求項１８】
前記通信システムは、3GPP（3rd  Generation  Partnership  Project）セルラ通信システムである、請求項１ないし１７のうちいずれか１項に記載の方法。
【請求項１９】
前記通信システムは、OFDMA（Orthogonal  Frequency  Division  Multiple  Access）型Evolved-UTRANセルラ通信システムである、請求項１ないし１８のうちいずれか１項に記載の方法。
【請求項２０】
少なくとも１つの通信セルと、
前記少なくとも１つの通信セルで動作可能であり、少なくとも１つのネットワークコントローラから信号を受信するように構成された１つ以上の無線加入者通信ユニットと、
前記１つ以上の無線加入者通信ユニットに要求メッセージを送信するように構成された少なくとも１つのネットワークコントローラと
を有するセルラ通信システムであって、
少なくとも１つの無線加入者通信ユニットは、前記要求メッセージを受信して処理し、前記要求メッセージに応じて、レイヤ１の応答信号を送信し、
前記ネットワークコントローラは、特定の通信セルで前記レイヤ１の応答信号を検出し、これに応じて、前記通信セルでブロードキャストサービスについてポイント・ツー・マルチポイントのブロードキャスト動作モードに入るセルラ通信システム。
【請求項２１】
前記無線加入者通信ユニットは、レイヤ１の応答シグニチャ系列を送信する、請求項２０に記載の通信システム。
【請求項２２】
前記要求メッセージは、１つ以上の無線加入者通信ユニットがブロードキャストサービスを受信しているか否かを特定するために、前記ネットワークコントローラにより送信される、請求項２０又は２１に記載の通信システム。
【請求項２３】
前記無線加入者通信ユニットが加入したブロードキャストサービスを復号するのに弱すぎる信号を受信している場合、レイヤ１の応答信号は、前記無線加入者通信ユニットにより前記要求メッセージに応じて送信される、請求項２２に記載の通信システム。
【請求項２４】
前記要求メッセージは、１つ以上の無線加入者通信ユニットがブロードキャストサービスを受信することに関心があるか否かを特定するために、前記ネットワークコントローラにより送信される、請求項２０ないし２３のうちいずれか１項に記載の通信システム。
【請求項２５】
前記ブロードキャストサービスを受信することに関心がある場合に、レイヤ１の応答信号は、前記要求メッセージに応じて前記無線加入者通信ユニットにより送信される、請求項２４に記載の通信システム。
【請求項２６】
前記少なくとも１つのネットワークコントローラは、無線加入者通信ユニットがMBMS（Multimedia  Multicast/Broadcast  Service）を受信することに関心があることを示すことを要求する要求メッセージを送信する、請求項２０ないし２５のうちいずれか１項に記載の通信システム。
【請求項２７】
前記少なくとも１つの無線加入者通信ユニットは、前記要求メッセージで示された個別アクセスリソースでレイヤ１の応答信号を送信する、請求項２０ないし２６のうちいずれか１項に記載の通信システム。
【請求項２８】
前記個別アクセスリソースは、特定のマルチメディアブロードキャスト及びマルチキャストサービスに関係する前記応答メッセージに使用される非同期ランダムアクセスチャネル（RACH）の指示及びシグニチャ系列を有する、請求項２７に記載の通信システム。
【請求項２９】
前記個別アクセス情報は、カウンティング手順に使用される個別シグニチャ系列を有する、請求項２０ないし２８のうちいずれか１項に記載の通信システム。
【請求項３０】
前記少なくとも１つの無線加入者通信ユニットは、前記非同期RACHのプリアンブル部分でレイヤ１の応答信号を送信する、請求項２８又は２９に記載の通信システム。
【請求項３１】
前記少なくとも１つの無線加入者通信ユニットは、一式の指定のRACHリソースからランダムに選択された非同期RACHでレイヤ１の応答信号を送信する、請求項２８ないし３０のうちいずれか１項に記載の通信システム。
【請求項３２】
個別アクセス情報は、前記要求メッセージで前記ネットワークコントローラにより前記複数の加入者通信ユニットに送信される確率係数を有し、
前記少なくとも１つの無線加入者通信ユニットは、これに応じて前記レイヤ１の応答信号を送信する非同期RACHを選択する、請求項２８ないし２１のうちいずれか１項に記載の通信システム。
【請求項３３】
前記個別アクセス情報は、前記ブロードキャストサービスに関心のある無線加入者通信ユニットのみが前記個別アクセス情報を受信することができるように、暗号化又は保護される、請求項２７ないし３２のうちいずれか１項に記載の通信システム。
【請求項３４】
前記ネットワークコントローラは、前記レイヤ１の応答信号を受信したことに応じて、肯定応答を送信する、請求項２０ないし３３のうちいずれか１項に記載の通信システム。
【請求項３５】
複数のブロードキャストサービスの間で複数のレイヤ１の複数の応答信号を時間多重する、請求項２０ないし３４のうちいずれか１項に記載の通信システム。
【請求項３６】
前記無線加入者通信ユニットが前記ブロードキャストサービスを復号するのに弱すぎる信号を受信している場合、レイヤ１の応答信号は、前記無線加入者通信ユニットにより前記要求メッセージに応じて送信される、請求項２０ないし３５のうちいずれか１項に記載の通信システム。
【請求項３７】
前記通信システムは、3GPP（3rd  Generation  Partnership  Project）セルラ通信システムである、請求項２０ないし３６のうちいずれか１項に記載の通信システム。
【請求項３８】
前記通信システムは、OFDMA（Orthogonal  Frequency  Division  Multiple  Access）型Evolved-UTRANセルラ通信システムである、請求項２０ないし３７のうちいずれか１項に記載の通信システム。
【請求項３９】
請求項２０ないし３８のうちいずれか１項に記載の通信システムで動作するように適合されたネットワークコントローラ。
【請求項４０】
請求項２０ないし３８のうちいずれか１項に記載の通信システムで動作するように適合された無線加入者通信ユニット。
【請求項４１】
トランシーバと、
前記トランシーバに動作可能に結合され、１つ以上の無線加入者通信ユニットに要求メッセージを送信するように構成された処理ロジックと
を有するセルラネットワークコントローラであって、
前記トランシーバは、前記要求メッセージに応じて特定の通信セルからレイヤ１の応答信号を受信して処理するように構成され、これに応じて、
(i)ポイント・ツー・マルチポイントのブロードキャスト動作モードに入ること、及び
(ii)前記通信セルでブロードキャストサービスの配信を変更すること
のうち１つを実行するセルラネットワークコントローラ。
【請求項４２】
前記トランシーバは、レイヤ１の応答シグニチャ系列を受信して検出するように構成される、請求項４１に記載のセルラネットワークコントローラ。
【請求項４３】
前記要求メッセージは、１つ以上の無線加入者通信ユニットがブロードキャストサービスを受信しているか否かを特定するために、前記ネットワークコントローラにより送信される、請求項４１又は４２に記載のセルラネットワークコントローラ。
【請求項４４】
前記無線加入者通信ユニットが加入したブロードキャストサービスを復号するのに弱すぎる信号を受信している場合、レイヤ１の応答信号は、前記要求メッセージに応じて前記無線加入者通信ユニットから受信される、請求項４３に記載のセルラネットワークコントローラ。
【請求項４５】
前記要求メッセージは、１つ以上の無線加入者通信ユニットがブロードキャストサービスを受信することに関心があるか否かを特定するために、前記ネットワークコントローラにより送信される、請求項４１ないし４４のうちいずれか１項に記載のセルラネットワークコントローラ。
【請求項４６】
前記無線加入者通信ユニットが前記ブロードキャストサービスを受信することに関心がある場合に、レイヤ１の応答信号は、前記要求メッセージに応じて前記無線加入者通信ユニットから受信される、請求項４５に記載のセルラネットワークコントローラ。
【請求項４７】
前記少なくとも１つのネットワークコントローラは、無線加入者通信ユニットがMBMS（Multimedia  Multicast/Broadcast  Service）を受信することに関心があることを示すことを要求する要求メッセージを送信する、請求項４１ないし４６のうちいずれか１項に記載のセルラネットワークコントローラ。
【請求項４８】
前記ネットワークコントローラは、前記無線加入者ユニットがこれに応じて前記レイヤ１の応答信号を送信する非同期RACHの指示及び確率係数を有する個別アクセス情報を有する前記要求メッセージを送信する、請求項４１ないし４７のうちいずれか１項に記載のセルラネットワークコントローラ。
【請求項４９】
前記個別アクセス情報は、前記ブロードキャストサービスに関心のある無線加入者通信ユニットのみが前記個別アクセス情報を受信することができるように、暗号化又は保護される、請求項４８に記載のセルラネットワークコントローラ。
【請求項５０】
前記ネットワークコントローラは、前記レイヤ１の応答信号を受信したことに応じて、肯定応答を送信する、請求項４１ないし４９のうちいずれか１項に記載のセルラネットワークコントローラ。
【請求項５１】
複数のブロードキャストサービスの間で複数のレイヤ１の複数の応答信号を時間多重することを更に有する、請求項４１ないし５０のうちいずれか１項に記載のセルラネットワークコントローラ。
【請求項５２】
前記通信システムは、3GPP（3rd  Generation  Partnership  Project）セルラ通信システムである、請求項４１ないし５１のうちいずれか１項に記載のセルラネットワークコントローラ。
【請求項５３】
前記通信システムは、OFDMA（Orthogonal  Frequency  Division  Multiple  Access）型Evolved-UTRANセルラ通信システムである、請求項４１ないし５２のうちいずれか１項に記載のセルラネットワークコントローラ。
【請求項５４】
ネットワークコントローラから要求メッセージを受信するように構成されたトランシーバと、
前記トランシーバに動作可能に結合され、前記要求メッセージを処理するように構成された処理ロジックと
を有する無線加入者通信ユニットであって、
前記トランシーバは、これに応じてレイヤ１の応答信号を送信し、前記レイヤ１の応答信号の送信に応じてブロードキャスト伝送を受信するように構成される無線加入者通信ユニット。
【請求項５５】
前記少なくとも１つの無線加入者通信ユニットは、レイヤ１の応答シグニチャ系列を送信する、請求項５４に記載の無線加入者通信ユニット。
【請求項５６】
前記無線加入者通信ユニットが加入したブロードキャストサービスを復号するのに弱すぎる信号を受信している場合、レイヤ１の応答信号は、前記無線加入者通信ユニットにより前記要求メッセージに応じて送信される、請求項５４又は５５に記載の無線加入者通信ユニット。
【請求項５７】
前記ブロードキャストサービスを受信することに関心がある場合に、レイヤ１の応答信号は、前記要求メッセージに応じて前記無線加入者通信ユニットにより送信される、請求項５４ないし５６のうちいずれか１項に記載の無線加入者通信ユニット。
【請求項５８】
前記無線加入者通信ユニットは、MBMS（Multimedia  Multicast/Broadcast  Service）を受信することに関心があることを示すレイヤ１の応答信号を送信する、請求項５７に記載の無線加入者通信ユニット。
【請求項５９】
前記トランシーバは、前記要求メッセージで示された個別アクセスリソースでレイヤ１の応答信号を送信する、請求項５４ないし５８のうちいずれか１項に記載の無線加入者通信ユニット。
【請求項６０】
前記個別アクセスリソースは、特定のマルチメディアブロードキャスト及びマルチキャストサービスに関係する前記応答メッセージに使用される非同期ランダムアクセスチャネル（RACH）の指示及びシグニチャ系列を有する、請求項５９に記載の無線加入者通信ユニット。
【請求項６１】
前記個別アクセス情報は、カウンティング手順に使用される個別シグニチャ系列を有する、請求項５９ないし６０のうちいずれか１項に記載の無線加入者通信ユニット。
【請求項６２】
前記トランシーバは、非同期RACHのプリアンブル部分でレイヤ１の応答信号を送信する、請求項５４ないし６１のうちいずれか１項に記載の無線加入者通信ユニット。
【請求項６３】
前記少なくとも１つの無線加入者通信ユニットは、一式の指定のRACHリソースからランダムに選択された非同期RACHでレイヤ１の応答信号を送信する、請求項６２に記載の無線加入者通信ユニット。
【請求項６４】
前記個別アクセス情報は、前記要求メッセージで前記ネットワークコントローラから受信される確率係数を有し、
前記無線加入者通信ユニットは、これに応じて前記レイヤ１の応答信号を送信する非同期RACHを選択する、請求項５９ないし６３のうちいずれか１項に記載の無線加入者通信ユニット。
【請求項６５】
前記個別アクセス情報は、前記ブロードキャストサービスに関心のある無線加入者通信ユニットのみが前記個別アクセス情報を受信することができるように、暗号化又は保護される、請求項５９ないし６４のうちいずれか１項に記載の無線加入者通信ユニット。
【請求項６６】
前記無線加入者通信ユニットは、前記レイヤ１の応答信号を受信したことに応じて、前記ネットワークコントローラから肯定応答を受信する、請求項５４ないし６５のうちいずれか１項に記載の無線加入者通信ユニット。
【請求項６７】
複数のブロードキャストサービスの間で複数のレイヤ１の複数の応答信号を時間多重することを更に有する、請求項５４ないし６６のうちいずれか１項に記載の無線加入者通信ユニット。
【請求項６８】
前記無線加入者通信ユニットが前記ブロードキャストサービスを復号するのに弱すぎる信号を受信している場合、レイヤ１の応答信号は、前記無線加入者通信ユニットにより前記要求メッセージに応じて送信される、請求項５４ないし６７のうちいずれか１項に記載の無線加入者通信ユニット。
【請求項６９】
前記通信システムは、3GPP（3rd  Generation  Partnership  Project）セルラ通信システムである、請求項５４ないし６８のうちいずれか１項に記載の無線加入者通信ユニット。
【請求項７０】
前記通信システムは、OFDMA（Orthogonal  Frequency  Division  Multiple  Access）型Evolved-UTRANセルラ通信システムである、請求項５４ないし６９のうちいずれか１項に記載の無線加入者通信ユニット。
【請求項７１】
ブロードキャストサービスに関係する１つ以上の無線加入者通信ユニットからフィードバックを取得するように構成されたセルラ通信システムのネットワークコントローラであって、
前記ネットワークコントローラは、実行可能プログラムコードを有するロジックを有し、
前記プログラムコードは、
要求メッセージを１つ以上の無線加入者通信ユニットに送信し、
前記ネットワークコントローラにより、特定の通信セルで前記レイヤ１の応答信号を検出し、これに応じて、
(i)ポイント・ツー・マルチポイントのブロードキャスト動作モードに入ること、及び
(ii)前記通信セルで前記ブロードキャストサービスの配信を変更することのうち１つを実行するように動作可能であるネットワークコントローラ。
【請求項７２】
ブロードキャストサービスに関係する１つ以上の無線加入者通信ユニットからフィードバックを取得するプログラムコードを有するコンピュータプログラムプロダクトであって、
要求メッセージを１つ以上の無線加入者通信ユニットに送信し、
前記ネットワークコントローラにより、特定の通信セルで前記レイヤ１の応答信号を検出し、これに応じて、
前記セルで前記ブロードキャストサービスについてポイント・ツー・マルチポイントのブロードキャスト動作モードに入るプログラムコードを有するコンピュータプログラムプロダクト。
【請求項７３】
ブロードキャストサービスを受信するプログラムコードを有するコンピュータプログラムプロダクトであって、
無線加入者通信ユニットで要求メッセージを受信して処理し、
無線加入者通信ユニットが前記ブロードキャストサービスを受信することに関心がある場合、前記要求メッセージに応じてレイヤ１の応答信号を送信し、
代替として、無線加入者通信ユニットが加入したブロードキャストサービスを復号するのに弱すぎる信号を受信している場合、前記要求メッセージに応じてレイヤ１の応答信号を送信し、
これに応じて前記ブロードキャストサービスを受信するプログラムコードを有するコンピュータプログラムプロダクト。
【発明の詳細な説明】
【技術分野】
【０００１】
本発明は、ブロードキャスト及びマルチキャスト伝送に関するフィードバックを取得するシステム、装置及び方法に関する。本発明は、E-UTRAN（Evolved  UMTS（Universal  Mobile  Telecommunication  System）  Terrestrial  Radio  Access  Network）でマルチメディアブロードキャスト及びマルチキャストサービス（MBMS：multimedia  broadcast  and  multicast  service）を起動したユーザに関するフィードバックを取得することに適用可能であるが、これに限定されない。E-UTRANは、3GPP（3rd  Generation  Partnership  Project）で現在標準化されている。
【背景技術】
【０００２】
無線スペクトルは貴重であり、特に、できるだけ多くのマルチメディアブロードキャスト／マルチキャストサービスをユーザに提供し、これによって広範囲のサービスの選択肢を移動電話ユーザ（しばしば加入者と呼ばれる）に提供するために、スペクトル効率の良い伝送技術が必要である。マルチメディアブロードキャスト／マルチキャストサービスは、通常の地上波テレビ／ラジオ伝送と同様に、セルラネットワークで伝達され得ることが知られている。
【０００３】
拡張通信サービスを提供するために、第３世代のセルラ通信システムは、広範囲の異なる拡張サービスをサポートするように設計されている。１つのこのような拡張サービスは、マルチメディアブロードキャスト及びマルチキャストサービス（MBMS）である。移動電話及び他のハンドヘルド装置を介して受信可能なマルチメディアサービスの需要は、今後の数年間で急速に増大することになる。通信されるデータコンテンツの性質のため、マルチメディアサービスは、高帯域を必要とする。
【０００４】
UMTSのMBMS（Mobile  Broadcast  and  Multicast  Service）のように、セルラシステムでマルチメディアサービスを配信する技術は、過去数年間に開発されている。MBMSサービス及びアプリケーションの例は、マルチメディア放送（すなわち、モバイルTV、オーディオ、ビデオ等）を含む。
【０００５】
効率的な伝送を実現するために、3GPP移動通信システムのMBMS配信について２つの配信モードが規定されている。マルチメディアサービスの提供で典型的で最もコスト効率の良い手法は、マルチメディア信号をユニキャスト（すなわち、ポイント・ツー・ポイント）方式で送信するのではなく、マルチメディア信号を‘ブロードキャスト’することである。ユニキャスト方式では、特定のUEへの専用の無線ベアラが提供される。MBMS技術は、セルラ／移動通信システムでコンテンツサーバ（しばしばデータソースと呼ばれる）から複数の宛先ユーザ端末（UE）にデータトラヒックを伝送するように設計される。従って、典型的には、例えば、ニュース、映画、スポーツ等を伝達する数十ものチャネルが通信ネットワークで同時にブロードキャストされ得る。
【０００６】
配信モードの決定は、ネットワークコントローラのサービスエリアでサービスを起動したユーザの数に基づいて、ネットワークコントローラで行われる。サービスを起動したUEの数が所定の閾値より大きい場合、p-t-m伝送が選択されて使用される。そうでない場合、サービスは、p-t-p無線ベアラで配信される。これは、参加ユーザの数に従ってMBMSデータコンテンツを配信する効率を最適化するために行われる。或る場合には、選択は、特定のサービスの潜在的な関心で行われることがある。すなわち、ネットワークコントローラがサービス提供されるUEに対して特定のMBMSに関心があるか否かを問い合わせ、応答に応じて、（p-t-p又はp-t-m）伝送配信モードが選択される。従って、サービスに関心のあるユーザの数が所定の閾値未満である場合、p-t-pモードが無線効率が良いため、使用される。しかし、所定の閾値は、主に使用される無線技術の機能であり、ほとんどの実用的な展開シナリオでは、セル内に２又は３人のユーザ未満であるように構成される。
【０００７】
サービスエリアでのMBMSサービスの配信モードの選択は、“カウンティング（counting）”手順と呼ばれる。ネットワークコントローラは、MCCH（Main  Control  Channel）で下りリンク（DL：downlink）チャネルのカウンティング要求メッセージを送信することにより、カウンティング手順を開始する。特に、カウンティング手順の間に、レイヤ３の信号がネットワークコントローラとUEとの間の通信に使用される。UEが起動した特定のMBMSサービスについてカウンティング手順が進行中であることをUEが検出すると、UEは、ランダムアクセスチャネル（RACH：random  access  channel）でカウンティング応答メッセージをネットワークコントローラに送信することにより、カウンティング要求に応答する。セルで特定のサービスを起動した（又は特定のサービスに関心のある）多くのユーザが存在し得るため、RACHでの同時のカウンティング応答の数がRACHリソースを過負荷にすることがある。これは、他の（非MBMS）ユーザによるRACHアクセスに影響を及ぼし、これは、リソースの効率的な提供に問題になる。
【０００８】
RACHは競合型アクセスチャネルであり、RACHに使用される物理チャネルリソースは、ネットワークで規定され、システム情報と共にセルでブロードキャストされる。従って、RACHチャネル情報は、システム内のUEに知られている。UEがネットワークと通信する必要があるが、UEがネットワークにより使用される専用リソースを割り当てられていない場合、UEはRACHチャネルを使用する。従って、RACHでのUEのアクセスはランダムであり、RACHチャネルで衝突／競合を生じることがある。
【０００９】
多数のカウンティング応答によるRACHの輻輳を回避するため、ネットワークコントローラは、UTRAN（UMTS  Terrestrial  Radio  Access  Network）のカウンティング手順中にアクセス制御を実行してもよい。これは、アクセス確率係数を使用したアクセス優先付け機構を使用する。アクセス確率係数が大きい場合、UEは、カウンティング応答を提示するためのRACHアクセスの高い機会を有する。従って、アクセス確率係数は、カウンティング要求メッセージと共にMCCHでUEに送信される。全てのUEはMCCHを読み取る。２つの異なるアクセス確率係数が以下のように規定されている。
(i)access_probability_factor_idle（アイドル状態のUEにより使用される）
(ii)access_probability_factor_connected（接続状態のUE（すなわち、URA_PCH、CELL_PCH又はCELL_FACH状態でアクティブであるもの）により使用される）
カウンティング応答メッセージはまた、UEの状態（すなわち、RRC_connected又はRRC_Idle）に応じて２つの形式になる。RRC_Idle状態のUEは、ネットワークに接続しておらず、‘MBMS受信（MBMS  reception）’に設定された確立理由（指示）で無線リソース接続（RRC：radio  resource  connection）を確立することにより、カウンティング要求に応答する。RRC_ConnectedのUEは、ネットワークに接続しており、従って、‘MBMS受信’に設定された確立理由（指示）でセル更新メッセージを送信するように構成される。
【００１０】
従って、これらの状態に応じて、接続中及びアイドルのUEは、RACHアクセスについてaccess_probability_factor_idle又はaccess_probability_factor_connectedを使用する。通常では、access_probability_factor_connectedは、access_probability_factor_idleより高い確率のアクセスを提供する（接続状態のUEは、既にネットワークに接続しているため、ネットワークへの早い応答を送信することができるため）。
【００１１】
図１を参照すると、UMTSにおいてNode-Bを介して無線ネットワークコントローラ（RNC：Radio  Network  Controller）102からUE150にMBMSリソースを割り当てる既知の機構が示されている。RNC102及びNode-Bは、周知のOSIモデルの様々なレベル（例えば、レイヤ１の無線インタフェースシグナリング112、レイヤ２の媒体アクセス制御シグナリング110、レイヤ２のリソースリンク制御108及びレイヤ３のシグナリング106）でシグナリングを処理することができる複数の論理要素を有するものとして図示されている。同様に、UE150は、通信リンクの加入者エンドで、周知のOSIモデルの様々なレベル（例えば、レイヤ１の無線インタフェースシグナリング152、レイヤ２の媒体アクセス制御シグナリング154、レイヤ２のリソースリンク制御156及びレイヤ３のシグナリング158）でシグナリングを処理することができる論理要素を有する。シグナリング通信に使用される様々なレイヤは、図１から自明であるため、更にここでは説明しない。
【００１２】
既知の処理は、無線リソース管理（RRM：radio  resource  management）104が指示116をレイヤ３のシグナリングに送信することにより、特定のMBMSサービスのカウンティング動作100を開始する決定を行うことで始まる。RRCカウンティング要求（RRC-CR：RRC-counting  request）メッセージ118の後に、MMCHでのRRC-CRメッセージ120が続き、次に、MBMSトランスポートチャネル（MCH：MBMS  transport  channel）でのRRC-CRメッセージ122が続く。
【００１３】
RRC-CRメッセージ124は、無線インタフェースを通じてUE150に送信され、UE150で受信されて処理される。無線インタフェース（レイヤ１）のシグナリングメッセージは、MCHでのRRC-CRメッセージ160に変換され、次に、MCCH（MBMS制御チャネル）でのRRC-CRメッセージ162に変換される。UEでのレイヤ３のRRC-CRメッセージ164の受信に続いて、UEがカウンティング手順に関心があるか否かの判定166が行われ得る。
【００１４】
これに応じて、UEは、レイヤ３のRRC接続要求（RRC-CoR：RRC-connection  request）メッセージを開始し、続いてレイヤ２のRRC-CoRメッセージ170、172が続き、RACHアクセス175を要求する。RRC-CoRメッセージ176は、RACHでレイヤ１のシグナリングに送信され、無線インタフェースのRRC-CoRメッセージ126がネットワークコントローラ102に送信される。ネットワークコントローラ102は、無線インタフェースのRRC-CoRメッセージ126を受信し、CCCHでのレイヤ２のRRC-CoRメッセージ128及びレイヤ２のRRC-CoRメッセージ130を介して、RRM104の許可制御ロジック134への許可制御メッセージ132と共にこれを処理する。
【００１５】
RRM104の許可制御134は、指示136をレイヤ３のシグナリングに送信する。RRC接続設定（RRC-CS：RRC-connection  setup）メッセージ138に続いて、個別制御チャネル（DCCH：dedicated  control  channel）140でのRRC-CSメッセージが続き、次に、個別トランスポートチャネル（DCH：dedicated  transport  channel）142でのRRC-CSメッセージが続く。
【００１６】
次に、RRC-CSメッセージ178は、無線インタフェースを通じてUE150に送信され、UE150で受信されて処理される。無線インタフェース（レイヤ１）のシグナリングメッセージは、DCHでのRRC-CSメッセージ180に変換され、次に、DCCHでのRRC-CSメッセージ182に変換される。UEでのレイヤ３のRRC-CSメッセージ184の受信に続いて、UEは、（RRC-CS内で）ネットワークにより指示された無線ベアラを設定し、レイヤ３RRC接続設定完了（RRC-RC：RRC-connection  setup  complete）メッセージ185を開始し、これに続いてレイヤ２のRRC-CCメッセージ190、192を開始する。無線インタフェースのRRC-CCメッセージ194は、ネットワークコントローラ102に送信される。ネットワークコントローラ102は、無線インタフェースのRRC-CCメッセージ194を受信し、DCH及びDCCHでのレイヤ２のRRC-CCメッセージ144、146及びRRM104へのレイヤ２のRRC-CCメッセージ148を介してこれを処理する。
【発明の概要】
【発明が解決しようとする課題】
【００１７】
従って、前述のように、UTRANで使用される既知のカウンティング手順は複雑であり、無線インタフェースでUEとネットワークコントローラとの間で大量のシグナリングを必要とする。これは、非効率な無線リソース使用を生じる。
【００１８】
前述の複雑な手順の１つの問題は、UTRANで使用されるカウンティング手順が、所定のセル内のユーザ数に基づいてMBMSサービスの伝送モード（ポイント・ツー・ポイント（p-t-p）及びポイント・ツー・マルチポイント（p-t-m））を決定するように設計されているという事実から生じている。従って、ネットワークコントローラがp-t-mモードから又はp-t-mモードに切り替えてリソースの使用を継続的に最適化するために、セル内のユーザ数が所定の閾値より大きいか否かを正確に示す必要がある。
【００１９】
p-t-p伝送モードの使用は、MBMSの提供の複雑性を増加させるだけでなく、実用的な展開シナリオのほとんどでp-t-mモードより限られた性能利得を有し、或いは性能利得が存在しない。特に、直交周波数分割多重アクセス（OFDMA：orthogonal  frequency  division  multiple  access）型の単一周波数ネットワーク（SFN：Single  Frequency  Network）で当てはまり、OFDMA型SFNは、次世代通信システム（E-UTRAN（Evolved  UMTS  Terrestrial  Radio  Access  Network））のため、現在3GPPで標準化されている。
【００２０】
E-UTRANは、単一周波数ネットワークを使用し、全ての基地局は時間同期している。従って、同じ信号は、サービスエリア内の複数のセルから送信され得る。サービスエリアは１つより多くのセルを含んでもよい。時間同期したセルからの同じ信号の送信は、信号の無線上の合成を生じるため、受信信号エネルギーを増加させ、従って、UEで良好な受信を提供する。
【００２１】
従って、現在の技術は次善である。従って、セルラネットワークでブロードキャスト伝送をサポートする問題に対処する改善した機構が有利である。特に、UTRA  TDDシステムでブロードキャスト伝送の提供を可能にして、既存のUTRA-TDDシステムと共存するシステムが有利である。
【００２２】
従って、本発明は、前述の欠点のうち１つ以上を単独で又は何らかの組み合わせで緩和、軽減又は除去することを目的とする。
【課題を解決するための手段】
【００２３】
本発明の第１の態様によれば、少なくとも１つの通信セルを有する無線通信システムでブロードキャストサービスに関係する１つ以上の無線加入者通信ユニットからフィードバックを取得する方法が提供される。この方法は、ネットワークコントローラにより、要求メッセージを１つ以上の無線加入者通信ユニットに送信し、無線加入者通信ユニットにより、要求メッセージを受信して処理し、少なくとも１つの無線加入者通信ユニットにより、要求メッセージに応じてレイヤ１の応答信号を送信し、ネットワークコントローラにより、特定の通信セルでレイヤ１の応答信号を検出し、これに応じて、(i)ポイント・ツー・マルチポイントのブロードキャスト動作モードに入ること及び(ii)その通信セルでブロードキャストサービスの配信を変更することのうち１つを実行する。
【００２４】
有利には、前述の方法は、非常に少ない量の更なるシグナリングトラヒックのみでMBMSを起動したユーザを検出する簡単な複雑でない手順を提供し得る。従って、この方法は、効率的な無線リソースの使用方法を提供し得る。
【００２５】
前述の方法は、ユーザフィードバックを受信する簡単な複雑でない手順を提供し得る。フィードバックに基づいて、サービス配信は、満たされた知覚品質で複数のユーザへのマルチメディアサービスの提供をサポートするように変更されてもよい。
【００２６】
本発明の任意選択の特徴によれば、個別アクセス情報は、カウンティング応答に使用される個別シグニチャ系列（dedicated  signature  sequence）を有してもよい。
【００２７】
本発明の任意選択の特徴によれば、要求メッセージは、１つ以上の無線加入者通信ユニットがブロードキャストサービスを受信しているか否か又は受信することに関心があるか否かを特定するために、ネットワークコントローラにより送信されてもよい。ブロードキャストサービスを受信している場合又は受信することに関心がある場合に、レイヤ１の応答信号は、要求メッセージに応じて無線加入者通信ユニットにより送信されてもよい。
【００２８】
本発明の任意選択の特徴によれば、レイヤ１の応答信号は、非同期RACHのプリアンブル部分で送信されるレイヤ１の応答信号を有してもよい。非同期RACHは、一式の指定のRACHリソースからランダムに選択されてもよい。
【００２９】
このように、この方法は、E-UTRANの実装でアイドル状態のUEと接続状態のUEとの双方に共通の手順を提供し得る。
【００３０】
本発明の任意選択の特徴によれば、個別アクセス情報は、確率係数を有してもよい。この方法は、要求メッセージでネットワークコントローラから複数の無線加入者通信ユニットに確率係数を送信し、これに応じて非同期RACHを選択することを更に有してもよい。
【００３１】
このように、この手順は、かなりの上りリンク負荷を生成しなくてもよい。更に、この手順は、RACHでの輻輳を生成することを回避し、従って、他のRACHユーザに影響を及ぼさなくてもよい。
【００３２】
本発明の任意選択の特徴によれば、個別アクセス情報は、マルチキャスト／ブロードキャストサービスに関心のある無線加入者通信ユニットのみが個別アクセス情報を受信することができるように、暗号化又は保護されてもよい。
【００３３】
このように、この方法は、何らかの潜在的な無線リソース攻撃に対する保護を提供し得る。
【００３４】
本発明の任意選択の特徴によれば、ネットワークコントローラは、レイヤ１の応答信号を受信したことに応じて、肯定応答を送信してもよい。
【００３５】
本発明の任意選択の特徴によれば、複数のブロードキャストサービスの間で複数のレイヤ１の複数の応答信号を時間多重することが使用されてもよい。
【００３６】
本発明の任意選択の特徴によれば、無線加入者通信ユニットが加入したブロードキャストサービスを復号するのに弱すぎる信号を受信している場合、レイヤ１の応答信号は、無線加入者通信ユニットにより要求メッセージに応じて送信されてもよい。
【００３７】
本発明の任意選択の特徴によれば、通信システムは、3GPP（3rd  Generation  Partnership  Project）セルラ通信システムである。通信システムは、OFDMA（Orthogonal  Frequency  Division  Multiple  Access）型Evolved-UTRANセルラ通信システムである。
【００３８】
本発明の第２の態様によれば、少なくとも１つの通信セルと、少なくとも１つの通信セルで動作可能であり、少なくとも１つのネットワークコントローラから信号を受信するように構成された１つ以上の無線加入者通信ユニットとを有するセルラ通信システムが提供される。少なくとも１つのネットワークコントローラは、１つ以上の無線加入者通信ユニットに要求メッセージを送信するように構成される。少なくとも１つの無線加入者通信ユニットは、要求メッセージを受信して処理し、要求メッセージに応じて、レイヤ１の応答信号を送信し、ネットワークコントローラは、特定の通信セルでレイヤ１の応答信号を検出し、これに応じて、(i)ポイント・ツー・マルチポイントのブロードキャスト動作モードに入ること及び(ii)その通信セルでブロードキャストサービスの配信を変更することとのうち１つを実行する。
【００３９】
本発明の第３の態様によれば、トランシーバと、トランシーバに動作可能に結合され、１つ以上の無線加入者通信ユニットに要求メッセージを送信するように構成された処理ロジックとを有するセルラネットワークコントローラが提供される。トランシーバは、特定の通信セルから要求メッセージに応じてレイヤ１の応答信号を受信して処理するように構成され、これに応じて、(i)ポイント・ツー・マルチポイントのブロードキャスト動作モードに入ること及び(ii)その通信セルでブロードキャストサービスの配信を変更することのうち１つを実行する。
【００４０】
本発明の第４の態様によれば、ネットワークコントローラから要求メッセージを受信するように構成されたトランシーバと、トランシーバに動作可能に結合され、要求メッセージを処理するように構成された処理ロジックとを有する無線加入者通信ユニットが提供される。トランシーバは、これに応じてレイヤ１の応答信号を送信し、レイヤ１の応答信号の送信に応じてブロードキャスト伝送を受信するように構成される。
【００４１】
本発明の前記及び他の態様、特徴及び利点は、以下に記載の実施例から明らかになり、実施例を参照して説明される。
【図面の簡単な説明】
【００４２】
【図１】UMTSにおけるカウンティング手順の既知の機構
【図２】本発明の或る実施例に従って適合された3GPPセルラ通信システム
【図３】本発明の或る実施例に従って適合された無線通信ユニット
【図４】本発明の或る実施例に従ってE-UTRANでMBMSを起動したユーザを検出する機構
【図５】本発明の或る実施例に従って受信機でのエネルギーを検出する機構
【図６】本発明の或る実施例に従ってMBMSサービスの間でシグニチャ系列を時間多重する例
【図７】本発明の或る実施例に従って使用される物理アクセスリソースのプール
【図８】本発明の或る実施例に従ってカウンティング手順で見られるシグナリングフロー
【図９】本発明の或る実施例に従ったネットワークコントローラの動作
【図１０】本発明の或る実施例に従ったUEの動作のフローチャート
【図１１】本発明の或る実施例に従ったUEの動作のフローチャート
【図１２】本発明の或る実施例に従ったUEの動作のフローチャート
【発明を実施するための形態】
【００４３】
本発明の実施例について、添付図面を参照して一例のみとして説明する。
【００４４】
以下の詳細な説明は、Evolved  UMTS（Universal  Mobile  Telecommunication  System）セルラ通信システム、特に3GPP（3rd  generation  partnership  project）システムのE-UTRAN（Evolved  UMTS  Terrestrial  Radio  Access  Network）に適用可能な本発明の実施例に焦点を当てる。しかし、本発明は、この特定のセルラ通信システムに限定されず、他のセルラ通信システムにも適用され得ることがわかる。
【００４５】
従って、本発明の発明者は、ネットワークコントローラによるカウンティング手順の提供は、必ずしもp-t-p及びp-t-m伝送モードの間の選択又は遷移の決定に必要であるとは限らないことがあることを認識及び評価した。しかし、本発明の発明者はまた、簡単なカウンティング手順が所定のセルに何らかの受信者が存在するか否かを検出するために必要であることも認識及び評価した。従って、ここに記載の本発明の概念は、データは‘空’のセルで送信される必要がないため、受信者の人数がまばらな場合に局所的なMBMSサービスのかなり効率的な伝送を可能にする。
【００４６】
本発明に関して、以下で使用される‘ブロードキャストサービス’という用語は、UMTSで規定されている以下のサービスの定義の双方を含むことを意図する。
【００４７】
(i)ブロードキャストサービス：関連のブロードキャストサービスエリアでデータが単一のソースから複数のUEに効率的に送信される一方向のポイント・ツー・ポイントサービスである。ブロードキャストサービスは、UEのローカルで特定のブロードキャストサービスを可能にし、サービスで定められたブロードキャストエリアにいる全てのユーザにより受信され得る。
【００４８】
(ii)マルチキャストサービス：関連のマルチキャストサービスエリアでデータが単一のソースから複数のグループに効率的に送信される一方向のポイント・ツー・マルチポイントサービスである。マルチキャストサービスは、特定のマルチキャストサービスに加入しており、特定のサービスに関連するマルチキャストグループに参加したユーザのみにより受信され得る。
【００４９】
従って、ブロードキャストサービスを受信するために、ユーザは、UEで受信機を起動する必要がある。マルチキャストサービスを受信するために、ユーザはサービスグループに参加する必要がある。
【００５０】
まず図３を参照すると、本発明の好ましい実施例に従って、無線通信ユニット（しばしば、セルラ通信に関して移動加入者ユニット（MS）と呼ばれる）が図示されている。
【００５１】
MS300は、好ましくはMS300内で受信チェーンと送信チェーンとの間の隔離を提供するデュプレックスフィルタ又はアンテナスイッチ304に結合されたアンテナ302を含む。
【００５２】
当業者に既知のように、受信チェーンは、（事実上、受信、フィルタリング及び中間又はベースバンド周波数変換を提供する）受信フロントエンド回路306を含む。フロントエンド回路306は、信号処理機能308に直列に結合される。信号処理機能308からの出力は、スクリーン又は平面パネルディスプレイのような適切な出力装置に提供される。受信チェーンはまた、受信信号強度インジケータ（RSSI：received  signal  strength  indicator）回路312を含み、次に、受信信号強度インジケータ312は、全体の加入者ユニットの制御を維持管理するコントローラ314に結合される。従って、コントローラ314は、回復した情報からビット誤り率（BER：bit  error  rate）又はフレーム誤り率（FER:：frame  error  rate）を受信してもよい。コントローラ314はまた、受信フロントエンド回路306及び信号処理機能308（一般的にデジタルシグナルプロセッサ（DSP：digital  signal  processor）により実現される）に結合される。コントローラはまた、動作体制（復号化／符号化機能、同期パターン、コード系列、RSSIデータ、受信信号の到達方向等）を選択的に格納するメモリ装置316に結合される。
【００５３】
本発明の好ましい実施例によれば、メモリ装置316は、MS300によりSMS形式で要求され、信号処理機能308により処理された構成／プロファイル情報を格納する。更に、タイマ318は、コントローラ314に動作可能に結合され、特にSMS構成メッセージの送信及び／又は応答に関して、自動的に又はユーザ入力に応じて、MS300内の動作タイミング（時間依存の信号の送信又は受信）を制御する。
【００５４】
送信チェーンに関して、これは、送信／変調回路322及び電力増幅器324を通じてアンテナ302に直列に結合された入力装置320（キーパッド等）を基本的に含む。送信／変調回路322及び電力増幅器324は、コントローラ314に動作可能に応答し、従って、MS300の構成で使用される双方向SMSメッセージ／要求の送信で使用される。
【００５５】
送信チェーンの信号処理機能308は、受信チェーンのプロセッサと異なるものとして実装されてもよい。代替として、図３に示すように、送信及び受信チェーンの双方の処理を実装するために、単一のプロセッサ308が使用されてもよい。明らかに、MS300内の様々な構成要素は、個別又は統合の構成要素の形式で実現され得るため、最終的な構成は、単に用途に特化したもの又は設計上の選択である。
【００５６】
本発明の好ましい実施例によれば、受信フロントエンド回路306は、信号処理機能308、メモリ装置316、タイマ機能318及びコントローラ314と共に、また、これらの制御及び指示のもとで、MS300の構成で双方向SMSメッセージ／要求を受信して処理するように適合される。
【００５７】
更に、本発明の好ましい実施例によれば、送信／変調回路322は、信号処理機能308、メモリ装置316、タイマ機能318及びコントローラ314と共に、また、これらの制御及び指示のもとで、MS300の構成で双方向SMSメッセージを処理して送信するように適合される。
【００５８】
有利には、本発明の実施例は、MBMSで使用されるカウンティング手順のためにレイヤ１のシグナリングを使用することを提案する。特に、本発明の実施例は、特定のMBMSサービスに関心のあるユーザによるカウンティング応答メッセージの送信手段として、非同期RACHのプリアンブル部分を使用することを提案する。レイヤ１のシグナリングを使用する結果として、UEは、ネットワークへの接続を確立する必要がない。従って、記載の手順は、シグナリング遅延、シグナリングオーバーヘッドを低減し、ネットワークへのUEの接続状態に拘らず適用され得る。
【００５９】
一実施例では、カウンティング手順は、ネットワークによる動作要求のユーザフィードバック（応答）として考えられてもよい。ここでは、ネットワークは、ユーザに対して、特定のMBMSサービスを受信する意思についてネットワーク（コントローラ）に通知するように要求する。関心のあるユーザは、レイヤ１のメッセージ内で暗示的に（すなわち、例えば非同期RACHチャネルのプリアンブル部分内で暗示的に）サービスを受信する意思を送信する。従って、この手順は、レイヤ１のシグナリング型ユーザフィードバック機構として一般的に記載されてもよい。
【００６０】
本発明は、3GPPで標準化での活動が進行中であるE-UTRAN（Evolved  UMTS  Terrestrial  Radio  Access  Network）に関して記載されるが、本発明に記載の方法は、何らかのセルラ通信システムで特定のMBMSサービスについて関心のある又は特定のMBMSサービスを起動したユーザを検出することが望ましい場合に常に適用され得ることが考えられる。
【００６１】
本発明の一実施例では、ネットワークコントローラは、MCCH又は同様のMBMS関係の制御チャネルでカウンティング要求メッセージを送信することにより、カウンティング手順を開始する必要がある。カウンティング応答メッセージは、非同期ランダムアクセスチャネル（RACH）で関心のあるUEにより送信される。２つの種類のRACHがE-UTRANシステムで規定されている点に留意すべきである。同期RACHは、プリアンブルに続いてメッセージペイロードを含む。非同期RACHでは、シグニチャ系列（signature  sequence）のみがプリアンブル部分で送信される。非同期RACHでは、UEはネットワークコントローラに対して上りリンクで時間同期しないが、同期RACHでは、UEはネットワークコントローラと時間同期する。
【００６２】
本発明の一実施例では、アイドルモードのUEと接続モードのUEとの双方は、必要な場合に常に、非同期RACHにアクセスすることができる。
【００６３】
シグニチャ系列を伝達するプリアンブル部分は、RACHバーストで送信される。RACHバーストは、シングルキャリアFDMA（SC-FDMA）型上りリンクで時間及び周波数に関する物理リソースにより規定される。標準は、システムで使用される複数のRACH時間／周波数チャネルを規定する。UEは、プリアンブルを送信するために、規定されたRACHチャネルセットからRACHチャネルをランダムに選択する。本発明の一実施例では、通常のRACHアクセスの間に、プリアンブルは、一式の利用可能なプリアンブルの１つからUEにより選択されてもよい。
【００６４】
本発明の或る実施例によれば、カウンティング要求メッセージは、MBMSサービスIDを含んでもよく、カウンティング手順は、UEによるカウンティング応答に使用される個別アクセス情報も同様に必要としてもよい。カウンティング要求メッセージを受信した後に、特定のMBMSサービスを受信することに関心のあるUEは、割り当てられた個別アクセスを使用してカウンティング応答メッセージを送信することにより、カウンティング要求に応答する。
【００６５】
本発明の一実施例によれば、個別アクセス情報は、プリアンブル系列として非同期RACHアクセスに使用される特定のシグニチャ系列の形式になってもよい。従って、この実施例では、カウンティング応答は、単に割り当てられた個別シグニチャ系列（すなわち、非同期RACHのプリアンブル部分）の送信でもよい。全ての関心のあるUEは、非同期RACHプリアンブルバーストで割り当てられたシグニチャ系列を送信する。これは、アイドル状態のUEと接続状態のUEとの双方がカウンティング応答のために非同期RACHを使用することを意味し、これにより、アイドル状態のUEと接続状態のUEとの双方に共通のカウンティング手順の使用を可能にする。
【００６６】
ネットワークコントローラは、UEからカウンティング応答を受信する。ネットワークコントローラでのシグニチャ系列の受信は、典型的には相関受信機の形式で実装される。既知のシグニチャ系列に対応するエネルギーが検出された場合、これは、ネットワークコントローラのサービスエリア内で少なくとも１人のユーザが特定のMBMSサービスに関心があること又は特定のMBMSサービスを起動したことを示す。
【００６７】
本発明の一実施例では、セルラネットワークコントローラは、ブロードキャストサービスの複数のユーザ又は関心のあるユーザを特定するように構成されてもよい。本発明の一実施例では、セルラネットワークコントローラは、誰がブロードキャストサービスのユーザ又は関心のあるユーザであるかを特定するように構成されてもよい。
【００６８】
本発明の一実施例では、レイヤ１の応答メッセージは、要求メッセージに応じてセルラネットワークコントローラに送信され、ブロードキャストサービスの特定の信号品質レベルを受信することができる（従って、従って、ブロードキャストサービスを受信し始めようとする又は受信し続ける）セルラネットワークコントローラへのフィードバックを提供してもよいことが考えられる。従って、本発明の一実施例では、加入したブロードキャストサービスを復号するのに弱すぎる信号を受信している場合、レイヤ１の応答信号は、要求メッセージに応じて無線加入者通信ユニットにより送信されてもよい。
【００６９】
例えば、UEがブロードキャストサービスに加入しているが、サービス品質（又は信号品質）が非常に低い場合、フィードバック要求及びレイヤ１の応答信号が利用されてもよいことも考えられる。UEがこの情報をセルラネットワークコントローラにフィードバックすることが有利である。その後、セルラネットワークコントローラは、問題を解決するために何らかの動作を行ってもよい（例えば、送信電力を増加させる）。
【００７０】
UEが良好な品質の信号を受信しており良好なサービス品質である状況では、UEは、この情報をセルラネットワークコントローラにフィードバックする必要はなく、これによって、貴重な信号リソースを節約してもよいことも考えられる。
【００７１】
次に図５を参照すると、ネットワークコントローラで（シグニチャ系列510を伝達する）カウンティング応答に基づいてMBMSを起動したユーザを検出する機構500が、本発明の或る実施例に従って示されている。シグニチャ系列510は、RACHプリアンブル部分で送信されるシグニチャ系列の例を示している。
【００７２】
時間間隔524、534で受信機で検出された信号エネルギー522、532は、波形520、530で示されている。図５に示すように、エネルギーは、時間に関して２つの形式の分布になってもよい。
【００７３】
波形520で示されるエネルギー分布526は、シグニチャ系列を送信する単一のユーザから生じたものでもよい。この場合、送信機と受信機との間に単一の伝送パスが存在する。代替として、波形520で示されるエネルギー分布526は、信号を送信する複数のユーザから生じたものでもよい。この場合、受信信号は、全てが同時に受信機に到達する。送信機と受信機との間の信号パスは、分散的（dispersive）でなくてもよい。
【００７４】
波形530で示されるエネルギー分布536、538、540は、シグニチャ系列を送信する単一のユーザから生じたものでもよい。この場合、送信機と受信機との間にマルチパス反射（チャネル分散）が存在する。代替として、波形530で示されるエネルギー分布536、538、540は、信号を送信する複数のユーザから生じたものでもよい。この場合、受信信号は、異なる時間に受信機に到達する。
【００７５】
ユーザ数が正確に決定されない可能性がある場合であっても、これは、受信機で受信した信号の受信信号強度に基づいて、少なくとも１人のユーザが応答したか否かを検出することができる。従って、これは、セルでMBMSを起動したユーザの存在（又は不在）を検出する簡単な物理レイヤのシグナリング型の方法を提供する。
【００７６】
この方法は、物理レイヤのシグナリングに基づき、高レイヤの情報又はユーザ識別を必要としないため、この方法は、アイドル状態のUEがMBMSカウンティング応答についてネットワークへの接続を確立することを必要としない。これは、必要なシグナリング量をかなり低減する。更に、この方法は、ネットワークへの接続状態に拘らず、UEからの同じ応答を必要とする。従って、これは、アイドル状態のUEと接続状態のUEとの双方について共通のカウンティング手順を提供する。
【００７７】
無線通信システムで使用されるシグニチャ系列は、それぞれの標準により規定されていることが知られている。シグニチャ系列の設計は、系列の相関特性と、信号を復号する際の受信機の複雑性との双方を考慮する。従って、系列の数は制限され得る。従って、MBMSサービス毎にシグニチャ系列を個別に分けることが可能でない場合がある。本発明の一実施例によれば、限られたシグニチャ系列により生じる潜在的な問題は、図６に示すように、複数のMBMSサービスの間で同じシグニチャ系列を時間多重することにより解決され得る。従って、全てのMBMSサービスのカウンティング応答として使用するために、唯一のシグニチャ系列が確保されればよい。
【００７８】
次に図６を参照すると、複数のMBMSサービスの間でシグニチャ系列600を時間多重する例が、本発明の或る実施例に従って示されている。第１のMBMSカウンティングインスタンス610（T1）において、MBMSサービス-1  615にカウンティングが必要になる。MBMSサービスn  625のカウンティング要求は、カウンティングインスタンス2（T2）で要求され、サービス-3  635のカウンティング要求は、カウンティングインスタンス3（T3）で要求され、以下同様である。当業者は、図６のMBMSサービスのカウンティング要求の順序は、一例のみとして提供されていることがわかる。特に、カウンティングインスタンスは、ネットワークコントローラにより異なるMBMSサービスについてスケジューリングされてもよい。従って、２つのMBMSサービスは、同じカウンティングインスタンスで要求されなくてもよい。
【００７９】
UEは、RACHプリアンブル640で示されたシグニチャ系列を送信することにより応答する。カウンティングインスタンスは、異なるMBMSサービスを目的とするカウンティング応答の重複を回避するように設計される。特に、本発明の一実施例では、２つの連続するカウンティングインスタンスの間の間隔は、各カウンティングインスタンス645、650、655に示すように、サービスに関心のある全てのUEがカウンティング要求に応答するのに十分に大きく構成される。従って、カウンティングインスタンスの間の間隔は、セル内のUEの最大のDRX長より大きく構成される。
【００８０】
１つの形式では、カウンティング応答に使用されるシグニチャ系列は、MBMSサービスIDと共にカウンティング要求メッセージ内に含まれてもよい。代替実施例では、カウンティングを要求したMBMSサービスIDのみがカウンティング要求メッセージで送信される。この場合、使用されるシグニチャ系列は、BCCHでブロードキャストされる、或いは標準で指定される。このように、シグニチャ系列はネットワークとUEとの双方に認識される。有利には、この実施例は、MCCHで送信される情報ビットの数を低減し得る。
【００８１】
MBMSサービスに関心のあるユーザの数に応じて、カウンティング要求は、多数のユーザが同時にRACHでカウンティング要求に応答することを生じてもよい。従って、カウンティング応答に割り当てられたシグニチャ系列は、通常のRACHアクセス動作でユーザにより選択された他のRACHシグニチャのエネルギーと比べて、ネットワークコントローラ（すなわち、E  Node-B）に過度のエネルギーで到達し得る。信号の検出は、受信機のアーキテクチャに依存してもよく、当業者は、現在の高度な既知の受信機がこの問題を解決し、高エネルギー及び低エネルギーのシグニチャ系列の双方を検出することができることを認識する。
【００８２】
しかし、或る受信機のアーキテクチャでは、これは、高エネルギーの信号により低エネルギーの信号をマスクすることを生じることがある。従って、通常のRACHアクセスに使用されるRACHシグニチャの検出は、カウンティング応答に使用されるシグニチャによりブロックされることがある。本発明の一実施例では、これを解決する１つの機構は、確率係数を導入することにより、カウンティング応答のRACHアクセスを制御することによるものである。
【００８３】
従って、本発明の他の態様によれば、アクセス情報は、個別シグニチャ系列と確率係数との形式になる。従って、シグニチャ系列に加えて、確率係数がMCCHで送信されるカウンティング要求メッセージに含まれる。確率係数は、RACHバーストでアクセス制御に使用されるため、RACHで動作する他のユーザのMBMSカウンティング応答の影響を低減する。
【００８４】
本発明の一実施例では、前述の問題を解決するために第２の機構が使用されてもよい。この機構は、MBMS応答について特定のRACHチャネルインスタンスを確保することを提案する。他の目的でRACHを送信しようとするUEは、これらの特定のRACHチャネルインスタンスで送信するように構成されなくてもよい。
【００８５】
従って、本発明の他の実施例によれば、アクセス情報は、シグニチャ系列とカウンティング応答に使用するRACHチャネルインスタンスとの形式になってもよい。ここでは、シグニチャ系列に加えて、RACHチャネルは、カウンティング応答に使用されてもよく、これは、MCCHで送信されるカウンティング要求メッセージに含まれてもよい。この実施例は、MBMSカウンティング応答についてRACHリソースの一部（少なくとも１つのRACHチャネルインスタンス）を確保することを必要とする。
【００８６】
個別RACHリソースは、図７に示すように、RACHプリアンブルに割り当てられたリソースの一部でもよい。しかし、個別RACHリソースは、RACH動作に基づく通常の競合でUEによる選択と対照的に、ネットワークコントローラによる割り当てに確保されてもよい。個別及び競合型RACHアクセスの双方に同じプリアンブルフォーマットが使用されてもよい。或る実施例では、ランダムアクセスリソース（RACHチャネル）の情報は、ブロードキャスト制御チャネル（BCCH：broadcast  control  channel）でブロードキャストされてもよいが、個別アクセスチャネルのチャネル情報はセルでブロードキャストされない。或る実施例では、この情報は、カウンティング要求メッセージと共にUEに送信されてもよい。
【００８７】
図７は、本発明の或る実施例に従って使用される物理アクセスリソースのプール700を示している。RACH物理リソースのプール700が個別アクセスリソース710とランダムアクセスリソース715との双方を含む場合、RACH物理リソースのプール700は、（カウンティング応答メッセージ及び通常のRACHアクセスの双方のために）複数のUEにより共有される。ユーザにより送信されたカウンティング応答が通常のRACHアクセスによりマスクされ得る可能性が存在する。従って、MBMSサービスを受信することに関心のある何人かのユーザがセルに存在しても、ネットワークコントローラは、関心のあるUEの情報を有さない可能性がある。従って、サービスはセルで提供されない可能性がある。
【００８８】
この状況を回避する１つの方法は、UEがカウンティング中止を忠告されるまで、カウンティング応答を送信することを要求することである。以下に説明するように、中止メッセージは、レイヤ３のシグナリングとして形成され、MCCHで送信されてもよい。代替として、以下に説明するように、プリアンブルがレイヤ１のシグナリングを使用して肯定応答されてもよい。
【００８９】
本発明の或る実施例によれば、単一のUEからのカウンティング応答は、セルで提供するMBMSサービスの決定に影響を及ぼすのに十分になり得る。従って、ネットワークコントローラがRACHプリアンブルで送信されたシグニチャ系列を検出する限り、ネットワークコントローラは、DL-SCH又はプリアンブル肯定応答チャネルを使用して、下りリンクチャネルでプリアンブルの肯定応答を送信する。セル内の全てのUEがこの下りリンク肯定応答を受信することができる。カウンティング応答が肯定応答されると、UEは、それぞれのカウンティング応答手順を中止する。
【００９０】
無許可又は偽のUEがMBMSサービスを受信することに関心があると言い、このため、非同期RACHで個別シグニチャ系列を送信することにより、カウンティング要求に応答してもよい。このことは、ネットワークに対して空のセルでMBMSサービスを提供させ得る。UEがサービスを復号することができなくても、これは、無線リソースの無駄（無線リソース攻撃）を生じる。このシナリオは、サービスを起動したユーザのみに個別アクセス情報を提供することにより回避されてもよいことが考えられる。これを処理する１つの方法は、サービス起動手順中にUEに配信された鍵で個別アクセス情報を暗号化又は保護することである。
【００９１】
次に図８を参照すると、カウンティング手順800のシグナリングフローが、カウンティング手順における本発明に従って示されている。シグナリングフローは、UE805とe-Node  B（又はネットワークコントローラ810）との間で生じる。ネットワークコントローラ810は、所定のMBMSサービスについてカウンティング手順800が必要であるか否かについて決定する。カウンティング手順800が必要であることをネットワークコントローラ810が決定すると、ステップ815において、ネットワークコントローラは、MCCHでカウンティング要求メッセージを送信することによりカウンティング手順を開始する。メッセージは、カウンティングが必要とするMBMSサービスIDと、カウンティング応答に使用される個別アクセス情報とを含む。
【００９２】
図１０〜図１２に関して詳細に説明するように、個別アクセス情報は、以下の１つ以上を含んでもよい。
【００９３】
(i)非同期RACHプリアンブルアクセスに使用されるシグニチャ系列
(ii)非同期RACHプリアンブルアクセスに使用されるシグニチャ系列及びRACHアクセス制御に使用される確率係数
(iii)非同期RACHプリアンブルアクセスに使用されるシグニチャ系列及びカウンティング応答に使用される（時間−周波数に関する）個別アクセスリソース
ステップ815においてMCCHでカウンティング要求メッセージを受信した後に、UE805が提供されるサービスに関心がある場合、ステップ820において、UE805は、非同期RACHプリアンブル内で暗示的にカウンティング応答メッセージを送信することによりカウンティング要求815に応答する。UE805は、個別シグニチャ系列で非同期RACHバーストにアクセスする。個別シグニチャ系列は、所定のMBMSサービスのカウンティング要求メッセージ内でUE805にシグナリングされる。従って、カウンティング応答は、シグニチャ系列でネットワークに暗示的に配信される。
【００９４】
カウンティング要求メッセージはレイヤ３（L3）のメッセージであるが、カウンティング応答メッセージはレイヤ１（L1）のメッセージであることに注目すべきである。
【００９５】
個別シグニチャ系列がネットワークコントローラ810で検出されると、ネットワークコントローラ810は、下りリンクチャネルで個別シグニチャ系列の受信の肯定応答を送信する。ステップ825に示すように、この肯定応答は、UEによりカウンティング中止メッセージとして解釈されてもよい。
【００９６】
有利には、レイヤ１のシグナリングのみが関与するため、このことはまた、下りリンクでシグナリングオーバーヘッドの低減を生じる。本発明の或る実施例では、中止カウンティングメッセージ825はまた、MCCHでUE805に送信されてもよいことが考えられる。
【００９７】
次に図９を参照すると、ネットワークコントローラの動作900が、本発明の或る実施例に従って示されている。ネットワークコントローラの動作900は、送信機側の動作905及び受信機側の動作910に関して示されている。RRMユニット920が双方の動作にまたがっている。処理はステップ915で始まる。ステップ925に示すように、RRMユニット920の送信機側は、MBMSサービスのカウンティング／再カウンティングの決定を行う。カウンティング／再カウンティング処理が所定のMBMSサービスを開始することであると決定されると、ステップ930で示すように、RRMユニット920は、カウンティング応答に使用される個別アクセスリソースを割り当てる。このように、ステップ935で示すように、所定のMBMSサービスのサービス識別子（ID）及び個別アクセス情報は、符号化されてMCCHで送信される。個別アクセス情報は、個別シグニチャ系列と、確率係数の個別シグニチャ系列と、個別RACHリソースとの形式になってもよい。
【００９８】
受信機側910では、ステップ940において、ネットワークコントローラの受信機は、MBMSサービスの個別シグニチャ系列を検出する。個別シグニチャ系列は、UEによるカウンティング応答に使用される。結果はRRM920に渡され、ステップ945で示すように、MBMSサービスを配信するか否かの決定が行われる。ネットワークコントローラでのシグニチャ系列の検出は、少なくとも１人のユーザがネットワークコントローラによりカバーされるエリアで所定のMBMSサービスを受信することに関心があることを示す。従って、サービスは、ネットワークコントローラによりカバーされるエリアで配信される。シグニチャ系列がネットワークコントローラで検出されない場合、サービスはセルで配信されない。
【００９９】
個別シグニチャがネットワークコントローラで検出されると、ステップ950で示すように、DL-SCH又はプリアンブル肯定応答に使用される物理チャネルで下りリンクチャネルで肯定応答を送信する。
【０１００】
RRMユニット920は、ネットワークコントローラ（すなわち、ENodeB）に存在してもよく、特にマルチセル展開シナリオをサポートする場合にはネットワークのどこかに存在してもよいことが考えられる。
【０１０１】
図１０は、本発明の或る実施例に従って、個別アクセス情報が、i)シグニチャ系列のみ又はii)シグニチャ系列及び個別RACHチャネルのみを含む場合のUEの動作のフローチャート1000を示している。この処理はステップ1005で始まり、UEは、MCCHを読み取る1010。UEがアイドルモードである場合、間欠受信（DRX：Discontinuous  Reception）サイクルにより規定される時間に起動する。ステップ1015において、UEが受信に関心のあるMBMSサービスのカウンティングを実行する必要がある場合、UEは、個別シグニチャ系列を送信することにより、カウンティング応答を実行する。個別シグニチャ系列は、MCCH内でUEに通知されている。ステップ125において、カウンティング応答手順は、UEでプリアンブル送信試行カウンタをインクリメントすることで始まる。
【０１０２】
ステップ1030において、カウンタが最大カウンタ値以下である場合、ステップ1040において、シグニチャは非同期RACHのプリアンブル部分で送信される。
【０１０３】
i)使用されるシグニチャ系列のみがMCCHでシグナリングされている場合、UEは、カウンティング応答の送信のために（複数のRACHリソースから）ランダムに物理リソースを選択する。
【０１０４】
ii)RACH物理チャネルが応答に使用される場合、これはMCCHでUEにシグナリングされ、シグニチャ系列はシグナリングされたRACHチャネルリソースを使用して送信される。
【０１０５】
ステップ1040において、UEは、ネットワークコントローラにより送信されたプリアンブル肯定応答を待機する。ステップ1045において肯定応答が受信されると、ステップ1055においてUEはカウンティング応答手順を終了する。ステップ1045において肯定応答が受信されない場合、ステップ1050において、UEは次のRACHインスタンスを待機し、ステップ1040において、RACHでシグニチャ系列を再送信する。
【０１０６】
図１１は、本発明の或る実施例に従って、個別アクセス情報がRACHチャネルリソースのみを含む場合のUEの動作のフローチャート1100を示している。特に、この処理はステップ1105で始まり、ステップ1110において、UEはMCCHを読み取る。ステップ1115において、UEはカウンティング応答を送信するか否かを決定する。UEが応答を送信しないことを決定すると、処理はステップ1120で中止する。
【０１０７】
しかし、UEが応答を送信することを決定すると、UEは、ネットワークによりRACHに使用されるために割り当てられた一式のシグニチャ系列からシグニチャ系列を選択する。この情報は、通常ではネットワークにより規定されており、システム情報と共にブロードキャストされる。選択されたシグニチャは、MCCH内でシグナリングされたRACHチャネルで送信される。シグニチャ系列を送信した後に、ステップ1130において、UEは手順を終了する。このシナリオでは、RACHチャネルは、カウンティング応答に使用されるのに専用である。従って、これは、個別RACHチャネルでUEの衝突を生じない可能性がある。ネットワークコントローラは、下りリンクチャネルでプリアンブル肯定応答を送信する必要がない。従って、UEは、プリアンブル肯定応答を待機する必要がない。
【０１０８】
次に図１２を参照すると、フローチャートは、本発明の或る実施例に従って、個別アクセス情報がシグニチャ系列と確率係数とを含む場合のUEの動作を示している。UEは、ステップ1210において、MCCHを読み取ることにより手順を開始する。ステップ1215において、UEが関心のあるサービスについてカウンティングが必要である場合、ステップ1225において、UEは、UEにローカルに保持されたプリアンブル送信カウンタをインクリメントすることにより手順を開始する。
【０１０９】
ステップ1230において、カウンタが所定の最大値以下である場合、ステップ1240で示すように、確率状態を検査する。ステップ1230において送信カウンタが最大値より大きい場合、又はステップ1215においてカウンティング応答について決定が存在しない場合、UEは、それぞれステップ1235又はステップ1220で手順を終了する。
【０１１０】
しかし、ステップ1240において確率状態が通過すると、ステップ1250において、シグニチャ系列がランダムに選択された非同期RACHプリアンブルで送信される。ステップ1240において確率の検査が失敗すると、ステップ1245において、第２の（次の）試行について次のRACHインスタンスを待機する。カウンタの最大値は、２つの連続するMCCHインスタンスの間のRACHインスタンスの数に設定されてもよい。
【０１１１】
RACHプリアンブルを送信した後に、UEは、ネットワークコントローラにより送信されたプリアンブル肯定応答を待機する。ステップ1255において肯定応答が受信されると、ステップ1260においてUEは手順を終了する。そうでない場合、ステップ1245において、UEは次のRACHインスタンスを待機し、ステップ1225においてRACH手順を再開する。
【０１１２】
明瞭にするために、前述の説明は、異なる機能ユニット及びプロセッサを参照して本発明の実施例について説明したことがわかる。しかし、本発明を逸脱することなく、例えば、ブロードキャストモードロジック又は管理ロジックに関して、異なる機能ユニット又はプロセッサの間での何らかの適切な機能分散が使用されてもよいことが明らかである。例えば、別のプロセッサ又はコントローラにより実行されるように示されている機能は、同じプロセッサ又はコントローラにより実行されてもよい。従って、特定の機能ユニットへの言及は、厳密な論理的又は物理的構造又は構成を示すのではなく、所望の機能を提供する適切な手段への言及のみとして見なされる。
【０１１３】
本発明の態様は、ハードウェア、ソフトウェア、ファームウェア又はこれらの何らかの組み合わせを含む如何なる適切な形式で実装されてもよい。任意選択で、本発明は、１つ以上のデータプロセッサ及び／又はデジタルシグナルプロセッサで動作するコンピュータソフトウェアとして、少なくとも部分的に実装されてもよい。従って、本発明の実施例の要素及び構成要素は、何らかの適切な方法で物理的、機能的及び論理的に実装されてもよい。実際に、機能は、単一のユニット、複数のユニット又は他の機能ユニットの一部として実装されてもよい。
【０１１４】
本発明の概念の一実施例は、E-UTRANでの使用について説明されているが、本発明の概念はこの実施例に限定されないことが考えられる。ここに記載の本発明の概念は、何らかのセルラ通信システムで特定のMBMSサービスについて関心のあるユーザ又は起動したユーザを検出することが望まれる場合に常に適用され得ることが考えられる。
【０１１５】
前述の本発明の概念は、以下の利点のうち１つ以上を提供することを目的とすることが考えられる。
【０１１６】
(i)MBMSカウンティング手順についてのレイヤ１（物理リンクレイヤ）のシグナリング
(ii)3GPPでの既存のMBMSカウンティング手順での以下の利点のうち１つ以上
a)セルでMBMSを起動したユーザを検出する簡単な複雑性の低い手順
b)アイドル状態のUEと接続状態のUEとの双方について共通の手順
c)手順は、非常に少量のシグナリングトラヒックを生成すること
d)手順は、かなりの上りリンク負荷を生成しないこと
e)手順は、RACHでの輻輳を生成せず、他のRACHに影響を及ぼさないこと
f)手順は、アイドル状態のUEがネットワークへの接続を確立することを必要としないこと
このように、例えば同じ原理をWCDMAネットワークに適用したときに比べて、無線加入者通信ユニットの電池寿命のかなりの節約が実現可能である。
【０１１７】
いくつかの実施例に関して本発明を説明したが、ここに記載の特定の形式に限定されることを意図しない。むしろ、本発明の範囲は特許請求の範囲のみにより限定される。更に、特徴は特定の実施例に関して記載されているように見えることがあるが、前述の実施例の様々な特徴は本発明に従って結合されてもよいことを、当業者はわかる。特許請求の範囲において、‘有する’という用語は、他の要素又はステップの存在を除外しない。
【０１１８】
更に、個々に記載されているが、複数の手段、要素又は方法のステップは、例えば、単一のユニット又はプロセッサにより実装されてもよい。更に、個々の特徴が異なる請求項に含まれることがあるが、これらは、場合によって有利に結合されてもよく、異なる請求項に含まれることは、特徴の組み合わせが実現可能でない及び／又は有利でないことを意味するのではない。また、請求項の１つのカテゴリに特徴が含まれることは、このカテゴリへの限定を示すのではなく、この特徴は必要に応じて他の請求項のカテゴリにも同様に適用可能になり得ることを示す。
【０１１９】
更に、請求項における特徴の順序は、特徴が実行されなければならない特定の順序を示すのではなく、特に、方法の請求項の個々のステップの順序は、ステップがこの順序で実行されなければならないことを示すのではない。むしろ、ステップは如何なる適切な順序で実行されてもよい。更に、単数への言及は複数を除外しない。従って、“１つ”、“第１の”、“第２の”等への言及は複数を除外しない。
【図１】
2010502065.tif 000003
【図２】
2010502065.tif 000004
【図３】
2010502065.tif 000005
【図４】
2010502065.tif 000006
【図５】
2010502065.tif 000007
【図６】
2010502065.tif 000008
【図７】
2010502065.tif 000009
【図８】
2010502065.tif 000010
【図９】
2010502065.tif 000011
【図１０】
2010502065.tif 000012
【図１１】
2010502065.tif 000013
【図１２】
2010502065.tif 000014
【手続補正書】
【提出日】平成21年4月16日(2009.4.16)
【手続補正１】
【補正対象書類名】特許請求の範囲
【補正対象項目名】全文
【補正方法】変更
【補正の内容】
【特許請求の範囲】
【請求項１】
少なくとも１つの通信セルを有する無線通信システムでブロードキャストサービスに関係する１つ以上の無線加入者通信ユニットからフィードバックを取得する方法であって、
ネットワークコントローラにより、要求メッセージを１つ以上の無線加入者通信ユニットに送信し、
無線加入者通信ユニットにより、前記要求メッセージを受信して処理し、
前記無線加入者通信ユニットにより、前記要求メッセージに応じてレイヤ１の応答信号を送信し、
前記ネットワークコントローラにより、特定の通信セルで前記レイヤ１の応答信号を検出し、これに応じて、
(i)ポイント・ツー・マルチポイントのブロードキャスト動作モードに入ること、及び
(ii)前記通信セルで前記ブロードキャストサービスの配信を変更することのうち１つを実行する方法。
【請求項２】
レイヤ１の応答信号を送信することは、レイヤ１の応答シグニチャ系列を送信することを有する、請求項１に記載の方法。
【請求項３】
前記要求メッセージは、１つ以上の無線加入者通信ユニットがブロードキャストサービスを受信することに関心があるか又はブロードキャストサービスを受信しているか否かを特定するために、前記ネットワークコントローラにより送信される、請求項１に記載の方法。
【請求項４】
前記ブロードキャストサービスを受信することに関心がある場合又は前記ブロードキャストサービスを受信している場合に、レイヤ１の応答信号は、前記要求メッセージに応じて前記無線加入者通信ユニットにより送信される、請求項２に記載の方法。
【請求項５】
要求メッセージを送信することは、無線加入者通信ユニットがMBMS（Multimedia  Multicast/Broadcast  Service）を受信することに関心があることを示す要求を送信することを有する、請求項３に記載の方法。
【請求項６】
レイヤ１の応答信号を送信することは、前記要求メッセージで示された個別アクセスリソースでレイヤ１の応答信号を送信することを有する、請求項１に記載の方法。
【請求項７】
前記個別アクセスリソースは、特定のマルチメディアブロードキャスト及びマルチキャストサービスに関係する前記応答メッセージに使用される非同期ランダムアクセスチャネル（RACH）の指示又はカウンティング手順に使用される個別シグニチャ系列のグループのうち少なくとも１つと、シグニチャ系列とを有する、請求項６に記載の方法。
【請求項８】
レイヤ１の応答信号を送信することは、(i)前記非同期RACHのプリアンブル部分、(ii) 一式の指定のRACHリソースからランダムに選択された非同期RACHのグループのうち少なくとも１つでレイヤ１の応答信号を送信することを有する、請求項６に記載の方法。
【請求項９】
前記個別アクセスリソースは、確率係数を有し、
前記方法は、前記要求メッセージで前記ネットワークコントローラから前記複数の無線加入者通信ユニットに前記確率係数を送信し、これに応じて前記非同期RACHを選択することを更に有する、請求項６に記載の方法。
【請求項１０】
前記個別アクセスリソースは、前記ブロードキャストサービスに関心のある無線加入者通信ユニットのみが個別アクセス情報を受信することができるように、暗号化又は保護される、請求項６に記載の方法。
【請求項１１】
複数のブロードキャストサービスの間で複数のレイヤ１の複数の応答信号を時間多重することを更に有する、請求項１に記載の方法。
【請求項１２】
前記無線加入者通信ユニットが前記ブロードキャストサービスを復号するのに弱すぎる信号を受信している場合、レイヤ１の応答信号は、前記無線加入者通信ユニットにより前記要求メッセージに応じて送信される、請求項１に記載の方法。
【請求項１３】
少なくとも１つの通信セルと、
前記少なくとも１つの通信セルで動作可能であり、少なくとも１つのネットワークコントローラから信号を受信するように構成された１つ以上の無線加入者通信ユニットと、
前記１つ以上の無線加入者通信ユニットに要求メッセージを送信するように構成された少なくとも１つのネットワークコントローラと
を有するセルラ通信システムであって、
少なくとも１つの無線加入者通信ユニットは、前記要求メッセージを受信して処理し、前記要求メッセージに応じて、レイヤ１の応答信号を送信し、
前記ネットワークコントローラは、特定の通信セルで前記レイヤ１の応答信号を検出し、これに応じて、前記通信セルでブロードキャストサービスについてポイント・ツー・マルチポイントのブロードキャスト動作モードに入るセルラ通信システム。
【請求項１４】
トランシーバと、
前記トランシーバに動作可能に結合され、１つ以上の無線加入者通信ユニットに要求メッセージを送信するように構成された処理ロジックと
を有するセルラネットワークコントローラであって、
前記トランシーバは、前記要求メッセージに応じて特定の通信セルからレイヤ１の応答信号を受信して処理するように構成され、これに応じて、
(i)ポイント・ツー・マルチポイントのブロードキャスト動作モードに入ること、及び
(ii)前記通信セルでブロードキャストサービスの配信を変更すること
のうち１つを実行するセルラネットワークコントローラ。
【請求項１５】
ネットワークコントローラから要求メッセージを受信するように構成されたトランシーバと、
前記トランシーバに動作可能に結合され、前記要求メッセージを処理するように構成された処理ロジックと
を有する無線加入者通信ユニットであって、
前記トランシーバは、これに応じてレイヤ１の応答信号を送信し、前記レイヤ１の応答信号の送信に応じてブロードキャスト伝送を受信するように構成される無線加入者通信ユニット。
【請求項１６】
ブロードキャストサービスに関係する１つ以上の無線加入者通信ユニットからフィードバックを取得するように構成されたセルラ通信システムのネットワークコントローラであって、
前記ネットワークコントローラは、実行可能プログラムコードを有するロジックを有し、
前記プログラムコードは、
要求メッセージを１つ以上の無線加入者通信ユニットに送信し、
前記ネットワークコントローラにより、特定の通信セルで前記レイヤ１の応答信号を検出し、これに応じて、
(i)ポイント・ツー・マルチポイントのブロードキャスト動作モードに入ること、及び
(ii)前記通信セルで前記ブロードキャストサービスの配信を変更することのうち１つを実行するように動作可能であるネットワークコントローラ。
【請求項１７】
ブロードキャストサービスに関係する１つ以上の無線加入者通信ユニットからフィードバックを取得するプログラムコードを有するコンピュータプログラムプロダクトであって、
要求メッセージを１つ以上の無線加入者通信ユニットに送信し、
前記ネットワークコントローラにより、特定の通信セルで前記レイヤ１の応答信号を検出し、これに応じて、
前記セルで前記ブロードキャストサービスについてポイント・ツー・マルチポイントのブロードキャスト動作モードに入るプログラムコードを有するコンピュータプログラムプロダクト。
【請求項１８】
ブロードキャストサービスを受信するプログラムコードを有するコンピュータプログラムプロダクトであって、
無線加入者通信ユニットで要求メッセージを受信して処理し、
無線加入者通信ユニットが前記ブロードキャストサービスを受信することに関心がある場合、前記要求メッセージに応じてレイヤ１の応答信号を送信し、
代替として、無線加入者通信ユニットが加入したブロードキャストサービスを復号するのに弱すぎる信号を受信している場合、前記要求メッセージに応じてレイヤ１の応答信号を送信し、
これに応じて前記ブロードキャストサービスを受信するプログラムコードを有するコンピュータプログラムプロダクト。
【国際調査報告】
2010502065.tif 000015
2010502065.tif 000016
2010502065.tif 000017